(57)【特許請求の範囲】
【請求項１】
電子文書に添付された付箋アノテーションにリンクされたコメント情報を起点として複数のレビュー者によりネットワークを介して該コメント情報に対するレビューが電子的に書き込まれる電子掲示板と、
前記電子文書と該電子文書を特定する電子文書特定情報とを関連付けて記憶した電子文書記憶手段と、
前記電子文書に添付された付箋アノテーションを特定する付箋アノテーション特定情報、前記付箋アノテーションの添付位置を示す位置情報、及び該付箋アノテーションが添付された前記電子文書を特定する前記電子文書特定情報を関連付けて記憶した付箋アノテーション関連情報記憶手段と、
処理対象とされる前記電子文書についての前記電子文書特定情報、前記付箋アノテーション特定情報、及び該付箋アノテーション特定情報により特定される付箋アノテーションにリンクされたコメント情報を特定するコメント特定情報を受け付ける受付手段、該受付手段によって受け付けられたコメント特定情報により特定されるコメント情報、該コメント情報に対するレビュー、及び該レビューを特定するレビュー特定情報を前記電子掲示板から取得する電子掲示板情報取得手段、前記受付手段によって受け付けられた前記電子文書特定情報毎に、前記受付手段によって受け付けられた付箋アノテーション特定情報、前記コメント特定情報、及び前記電子掲示板情報取得手段によって取得されたコメント情報を関連付けると共に、前記電子掲示板情報取得手段によって取得されたレビュー及びレビュー特定情報を関連付けて記憶する電子掲示板情報記憶手段、前記受付手段によって受け付けられた電子文書特定情報により特定される電子文書を前記電子文書記憶手段から取得する電子文書取得手段、前記受付手段によって受け付けられた付箋アノテーション特定情報に関連付けられた前記位置情報を前記付箋アノテーション関連情報記憶手段から取得する位置情報取得手段、前記受付手段によって受け付けられた電子文書特定情報、付箋アノテーション特定情報、コメント特定情報、前記電子文書取得手段によって取得された電子文書、及び前記位置情報取得手段によって取得された位置情報を関連付けて記憶する電子文書関連情報記憶手段、並びに前記電子掲示板情報記憶手段に記憶されている前記電子文書特定情報に対応する文書ＩＤをクライアント装置から受け取った場合に、受け取った文書ＩＤに対応する電子文書特定情報に関連付けられた前記付箋アノテーション特定情報、前記コメント特定情報、前記コメント情報、前記レビュー及び前記レビュー特定情報を前記電子掲示板情報記憶手段から読み出し、読み出した前記付箋アノテーション特定情報、前記コメント特定情報、前記コメント情報、前記レビュー及び前記レビュー特定情報を用いて、該コメント情報及び該レビューが、親子関係が識別可能であり且つ返信関係が階層構造で一覧表示された電子掲示板模倣画面を表示することができる電子掲示板模倣画面情報を作成し、作成した電子掲示板模倣画面情報を前記クライアント装置に提供し、前記電子文書関連情報記憶手段に記憶されている前記コメント特定情報に対応するメッセージＩＤを前記クライアント装置から受け取った場合に、受け取ったメッセージＩＤに対応するコメント特定情報に関連付けられた前記付箋アノテーション特定情報、前記電子文書及び前記位置情報を前記電子文書関連情報記憶手段から読み出し、読み出した前記付箋アノテーション特定情報、前記電子文書及び前記位置情報を用いて、前記付箋アノテーションが添付された前記電子文書を表示することができる文書画面情報を作成し、作成した文書画面情報を前記クライアント装置に提供する画面情報作成提供手段を備えたデータ連携サーバと、
を含むデータ処理システム。
【請求項２】
前記クライアント装置は、前記データ連携サーバの前記画面情報作成手段から前記電子掲示板模倣画面情報が提供された場合、該電子掲示板模倣画面情報に基づいて前記電子掲示板模倣画面を表示し、前記データ連携サーバの前記画面情報作成手段から前記文書画面情報が提供された場合、該文書画面情報に基づいて前記付箋アノテーションが添付された前記電子文書を表示する表示手段を備えた請求項１に記載のデータ処理システム。
【請求項３】
電子文書に添付された付箋アノテーションにリンクされたコメント情報を起点として複数のレビュー者によりネットワークを介して該コメント情報に対するレビューが電子的に書き込まれる電子掲示板と、前記電子文書と該電子文書を特定する電子文書特定情報とを関連付けて記憶した電子文書記憶手段と、前記電子文書に添付された付箋アノテーションを特定する付箋アノテーション特定情報、前記付箋アノテーションの添付位置を示す位置情報、及び該付箋アノテーションが添付された前記電子文書を特定する前記電子文書特定情報を関連付けて記憶した付箋アノテーション関連情報記憶手段と、データ連携サーバと、を有するデータ処理システムの前記データ連携サーバを制御するコンピュータを、
処理対象とされる前記電子文書についての前記電子文書特定情報、前記付箋アノテーション特定情報、及び該付箋アノテーション特定情報により特定される付箋アノテーションにリンクされたコメント情報を特定するコメント特定情報を受け付ける受付手段によって受け付けられたコメント特定情報により特定されるコメント情報、該コメント情報に対するレビュー、及び該レビューを特定するレビュー特定情報を前記電子掲示板から取得する電子掲示板情報取得手段、
前記受付手段によって受け付けられた前記電子文書特定情報毎に、前記受付手段によって受け付けられた付箋アノテーション特定情報、前記コメント特定情報、及び前記電子掲示板情報取得手段によって取得されたコメント情報を関連付けると共に、前記電子掲示板情報取得手段によって取得されたレビュー及びレビュー特定情報を関連付けて電子掲示板情報記憶手段に記憶する手段、
前記受付手段によって受け付けられた電子文書特定情報により特定される電子文書を前記電子文書記憶手段から取得する電子文書取得手段、
前記受付手段によって受け付けられた付箋アノテーション特定情報に関連付けられた前記位置情報を前記付箋アノテーション関連情報記憶手段から取得する位置情報取得手段、  前記受付手段によって受け付けられた電子文書特定情報、付箋アノテーション特定情報、コメント特定情報、前記電子文書取得手段によって取得された電子文書、及び前記位置情報取得手段によって取得された位置情報を関連付けて電子文書関連情報記憶手段に記憶する手段、並びに
前記電子掲示板情報記憶手段に記憶されている前記電子文書特定情報に対応する文書ＩＤをクライアント装置から受け取った場合に、受け取った文書ＩＤに対応する電子文書特定情報に関連付けられた前記付箋アノテーション特定情報、前記コメント特定情報、前記コメント情報、前記レビュー及び前記レビュー特定情報を前記電子掲示板情報記憶手段から読み出し、読み出した前記付箋アノテーション特定情報、前記コメント特定情報、前記コメント情報、前記レビュー及び前記レビュー特定情報を用いて、該コメント情報及び該レビューが、親子関係が識別可能であり且つ返信関係が階層構造で一覧表示された電子掲示板模倣画面を表示することができる電子掲示板模倣画面情報を作成し、作成した電子掲示板模倣画面情報を前記クライアント装置に提供し、前記電子文書関連情報記憶手段に記憶されている前記コメント特定情報に対応するメッセージＩＤを前記クライアント装置から受け取った場合に、受け取ったメッセージＩＤに対応するコメント特定情報に関連付けられた前記付箋アノテーション特定情報、前記電子文書及び前記位置情報を前記電子文書関連情報記憶手段から読み出し、読み出した前記付箋アノテーション特定情報、前記電子文書及び前記位置情報を用いて、前記付箋アノテーションが添付された前記電子文書を表示することができる文書画面情報を作成し、作成した文書画面情報を前記クライアント装置に提供する画面情報作成提供手段として機能させるためのプログラム。
【発明の詳細な説明】
【技術分野】
【０００１】
本発明は、データ処理システム及びプログラムに係り、より詳しくは、データ構造が異なり、かつ相互に関連する複数種類のデータに対する処理を行うデータ処理システム及びプログラムに関する。
【背景技術】
【０００２】
近年、電子文書の任意位置に対して、当該電子文書の本文に影響を与えることなく、文字情報、画像情報、音声情報、リンク情報等の付加情報を添付する技術が広く用いられている。なお、当該付加情報を本明細書ではアノテーション（注釈）とも称する。
【０００３】
このアノテーションを電子文書に添付することのできるシステムの例として、富士ゼロックス株式会社のＤｏｃｕＷｏｒｋｓ（登録商標）や、米国Ａｄｏｂｅ社のＡｃｒｏｂａｔ（登録商標）等がある。
【０００４】
そして、近年、このようなアノテーションが添付可能とされた電子文書の他、電子掲示板によりやりとりされたメッセージを示すメッセージデータ、ＰＤＦ（Portable Document Format）形式データ等のデータ構造の異なる様々なデータが存在する。そこで、異なるデータ構造の複数種類のデータに対して統一的なアクセスを実現したい、という要望が高まっている。
【０００５】
この要望に応えるために適用できる技術として、特許文献１には、データモデルが異なる複数の外部データに対して統一的にアクセスするシステムであって、内部的に統一的なデータモデルを用意し、外部データと内部データの間でマッピングを行う技術が開示されている。
【特許文献１】特開平８−２０２５９７号公報
【発明の開示】
【発明が解決しようとする課題】
【０００６】
ところで、データ構造が異なり、かつ相互に関連する複数種類のデータに対して統一的にアクセスしたい、という要望がある。例えば、上記アノテーションが添付可能とされた電子文書と、当該アノテーションからリンクが張られた電子掲示板上のメッセージを示すメッセージデータとを統一的にアクセスする、といった要望である。
【０００７】
しかしながら、上記特許文献１に開示されている技術では、統一的にアクセスする各データ間で異なる情報が存在する場合に当該情報が欠落してしまう、という問題点があった。
【０００８】
本発明は上記問題点を解決するためになされたものであり、異なるデータ構造のデータに対して情報の欠落を招くことなく統一的にアクセスすることを可能とするデータ処理システム及びプログラムを提供することを目的とする。
【課題を解決するための手段】
【０００９】
上記目的を達成するために、請求項１記載のデータ処理システムは、電子文書に添付された付箋アノテーションにリンクされたコメント情報を起点として複数のレビュー者によりネットワークを介して該コメント情報に対するレビューが電子的に書き込まれる電子掲示板と、前記電子文書と該電子文書を特定する電子文書特定情報とを関連付けて記憶した電子文書記憶手段と、前記電子文書に添付された付箋アノテーションを特定する付箋アノテーション特定情報、前記付箋アノテーションの添付位置を示す位置情報、及び該付箋アノテーションが添付された前記電子文書を特定する前記電子文書特定情報を関連付けて記憶した付箋アノテーション関連情報記憶手段と、処理対象とされる前記電子文書についての前記電子文書特定情報、前記付箋アノテーション特定情報、及び該付箋アノテーション特定情報により特定される付箋アノテーションにリンクされたコメント情報を特定するコメント特定情報を受け付ける受付手段、該受付手段によって受け付けられたコメント特定情報により特定されるコメント情報、該コメント情報に対するレビュー、及び該レビューを特定するレビュー特定情報を前記電子掲示板から取得する電子掲示板情報取得手段、前記受付手段によって受け付けられた前記電子文書特定情報毎に、前記受付手段によって受け付けられた付箋アノテーション特定情報、前記コメント特定情報、及び前記電子掲示板情報取得手段によって取得されたコメント情報を関連付けると共に、前記電子掲示板情報取得手段によって取得されたレビュー及びレビュー特定情報を関連付けて記憶する電子掲示板情報記憶手段、前記受付手段によって受け付けられた電子文書特定情報により特定される電子文書を前記電子文書記憶手段から取得する電子文書取得手段、前記受付手段によって受け付けられた付箋アノテーション特定情報に関連付けられた前記位置情報を前記付箋アノテーション関連情報記憶手段から取得する位置情報取得手段、前記受付手段によって受け付けられた電子文書特定情報、付箋アノテーション特定情報、コメント特定情報、前記電子文書取得手段によって取得された電子文書、及び前記位置情報取得手段によって取得された位置情報を関連付けて記憶する電子文書関連情報記憶手段、並びに前記電子掲示板情報記憶手段に記憶されている前記電子文書特定情報に対応する文書ＩＤをクライアント装置から受け取った場合に、受け取った文書ＩＤに対応する電子文書特定情報に関連付けられた前記付箋アノテーション特定情報、前記コメント特定情報、前記コメント情報、前記レビュー及び前記レビュー特定情報を前記電子掲示板情報記憶手段から読み出し、読み出した前記付箋アノテーション特定情報、前記コメント特定情報、前記コメント情報、前記レビュー及び前記レビュー特定情報を用いて、該コメント情報及び該レビューが、親子関係が識別可能であり且つ返信関係が階層構造で一覧表示された電子掲示板模倣画面を表示することができる電子掲示板模倣画面情報を作成し、作成した電子掲示板模倣画面情報を前記クライアント装置に提供し、前記電子文書関連情報記憶手段に記憶されている前記コメント特定情報に対応するメッセージＩＤを前記クライアント装置から受け取った場合に、受け取ったメッセージＩＤに対応するコメント特定情報に関連付けられた前記付箋アノテーション特定情報、前記電子文書及び前記位置情報を前記電子文書関連情報記憶手段から読み出し、読み出した前記付箋アノテーション特定情報、前記電子文書及び前記位置情報を用いて、前記付箋アノテーションが添付された前記電子文書を表示することができる文書画面情報を作成し、作成した文書画面情報を前記クライアント装置に提供する画面情報作成提供手段と、を備えている。
【００１０】
なお、上記各記憶手段には、ＲＡＭ、ＥＥＰＲＯＭ、フラッシュＥＥＰＲＯＭ等の半導体記憶素子、スマート・メディア（SmartMedia（登録商標））、フレキシブルディスク、光磁気ディスク等の可搬記録媒体やハードディスク等の固定記録媒体、或いはネットワークに接続されたサーバ・コンピュータ等に設けられた外部記憶装置が含まれる。
【００１２】
請求項１に記載のデータ処理システムによれば、異なるデータ構造のデータに対して情報の欠落を招くことなく統一的にアクセスすることを可能とすることができる。
【００１３】
なお、請求項１に記載のデータ処理システムは、請求項２に記載の発明のように、前記クライアント装置が、前記データ連携サーバの前記画面情報作成手段から前記電子掲示板模倣画面情報が提供された場合、該電子掲示板模倣画面情報に基づいて前記電子掲示板模倣画面を表示し、前記データ連携サーバの前記画面情報作成手段から前記文書画面情報が提供された場合、該文書画面情報に基づいて前記付箋アノテーションが添付された前記電子文書を表示する表示手段を備えたものとしてもよい。
【００１６】
なお、上記表示手段による表示には、ディスプレイ装置等による可視表示、プリンタ等による永久可視表示、スピーカ等による可聴表示等が含まれる。
【００２０】
一方、上記目的を達成するために、請求項３記載のプログラムは、電子文書に添付された付箋アノテーションにリンクされたコメント情報を起点として複数のレビュー者によりネットワークを介して該コメント情報に対するレビューが電子的に書き込まれる電子掲示板と、前記電子文書と該電子文書を特定する電子文書特定情報とを関連付けて記憶した電子文書記憶手段と、前記電子文書に添付された付箋アノテーションを特定する付箋アノテーション特定情報、前記付箋アノテーションの添付位置を示す位置情報、及び該付箋アノテーションが添付された前記電子文書を特定する前記電子文書特定情報を関連付けて記憶した付箋アノテーション関連情報記憶手段と、データ連携サーバと、を有するデータ処理システムの前記データ連携サーバを制御するコンピュータを、処理対象とされる前記電子文書についての前記電子文書特定情報、前記付箋アノテーション特定情報、及び該付箋アノテーション特定情報により特定される付箋アノテーションにリンクされたコメント情報を特定するコメント特定情報を受け付ける受付手段によって受け付けられたコメント特定情報により特定されるコメント情報、該コメント情報に対するレビュー、及び該レビューを特定するレビュー特定情報を前記電子掲示板から取得する電子掲示板情報取得手段、前記受付手段によって受け付けられた前記電子文書特定情報毎に、前記受付手段によって受け付けられた付箋アノテーション特定情報、前記コメント特定情報、及び前記電子掲示板情報取得手段によって取得されたコメント情報を関連付けると共に、前記電子掲示板情報取得手段によって取得されたレビュー及びレビュー特定情報を関連付けて電子掲示板情報記憶手段に記憶する手段、前記受付手段によって受け付けられた電子文書特定情報により特定される電子文書を前記電子文書記憶手段から取得する電子文書取得手段、前記受付手段によって受け付けられた付箋アノテーション特定情報に関連付けられた前記位置情報を前記付箋アノテーション関連情報記憶手段から取得する位置情報取得手段、前記受付手段によって受け付けられた電子文書特定情報、付箋アノテーション特定情報、コメント特定情報、前記電子文書取得手段によって取得された電子文書、及び前記位置情報取得手段によって取得された位置情報を関連付けて電子文書関連情報記憶手段に記憶する手段、並びに前記電子掲示板情報記憶手段に記憶されている前記電子文書特定情報に対応する文書ＩＤをクライアント装置から受け取った場合に、受け取った文書ＩＤに対応する電子文書特定情報に関連付けられた前記付箋アノテーション特定情報、前記コメント特定情報、前記コメント情報、前記レビュー及び前記レビュー特定情報を前記電子掲示板情報記憶手段から読み出し、読み出した前記付箋アノテーション特定情報、前記コメント特定情報、前記コメント情報、前記レビュー及び前記レビュー特定情報を用いて、該コメント情報及び該レビューが、親子関係が識別可能であり且つ返信関係が階層構造で一覧表示された電子掲示板模倣画面を表示することができる電子掲示板模倣画面情報を作成し、作成した電子掲示板模倣画面情報を前記クライアント装置に提供し、前記電子文書関連情報記憶手段に記憶されている前記コメント特定情報に対応するメッセージＩＤを前記クライアント装置から受け取った場合に、受け取ったメッセージＩＤに対応するコメント特定情報に関連付けられた前記付箋アノテーション特定情報、前記電子文書及び前記位置情報を前記電子文書関連情報記憶手段から読み出し、読み出した前記付箋アノテーション特定情報、前記電子文書及び前記位置情報を用いて、前記付箋アノテーションが添付された前記電子文書を表示することができる文書画面情報を作成し、作成した文書画面情報を前記クライアント装置に提供する画面情報作成提供手段として機能させるためのものである。
【００２１】
従って、請求項３記載のデータ処理プログラムによれば、コンピュータに対して請求項１記載の発明と同様に作用させることができるので、請求項１記載の発明と同様に、異なるデータ構造のデータに対して情報の欠落を招くことなく統一的にアクセスすることを可能とすることができる。
【発明の効果】
【００２２】
本発明によれば、異なるデータ構造のデータに対して情報の欠落を招くことなく統一的にアクセスすることを可能とすることができる、という効果が得られる。
【発明を実施するための最良の形態】
【００２３】
以下、図面を参照して本発明の実施の形態について詳細に説明する。なお、ここでは、本発明をクライアント／サーバ・システムとして構成された文書処理システムに適用した場合について説明する。
【００２４】
〔システム構成〕
図１は、本実施の形態に係る文書処理システム９０の全体概略構成を示す図である。
【００２５】
同図に示すように、文書処理システム９０は、文書処理システム９０において使用される電子データ（文書データに限らず、文書処理システム９０で対応している他の電子的なデータの全てを含む）を処理するサーバシステム９２と、文書処理システム９０の利用者（後述するレビュアや作業実行者も含む。）が使用するクライアントシステム９４と、を備えている。
【００２６】
サーバシステム９２は、電子文書（以下、単に「文書」ともいう。）を管理する文書管理サーバ１０及びアノテーションを管理するアノテーション管理サーバ２０を有する。文書管理サーバ１０は主として文書の保存と検索を行うサーバであり、アノテーション管理サーバ２０は主として文書に付与（添付）されたアノテーションの保存と検索を行うサーバである。
【００２７】
このように、文書全体を管理する文書管理サーバ１０と、電子文書に付与されたアノテーションを管理するアノテーション管理サーバ２０とを設けることで、複数の電子文書に対する加筆修正が複数の利用者によって独自に行われる場合でも、最終的な電子文書や加筆修正等の内容に矛盾が生じることを回避することができる。
【００２８】
例えば、何れかの利用者が電子文書の原本のある部分にアノテーションとして補足説明を加え、その一方で、他の利用者が同じ部分を削除するような修正を加えたときでも、それらの編集部分を文書管理サーバ１０で管理している電子文書本体と対応付けてアノテーション管理サーバ２０により登録しておくことで、電子文書本体やこれに対応する加筆修正等の内容に矛盾が生じることなく情報の管理を行うことができる。
【００２９】
同図に示すように、文書管理サーバ１０は、文書管理サーバ１０全体の動作を司る制御部１１と、各種情報を記憶するための主記憶部１２と、液晶ディスプレイ等のディスプレイを含んで構成された表示部１３と、キーボード及びマウス（ポインティング・デバイス）を含んで構成された操作部１４と、後述する文書データベースＤＢ１や各種プログラム、各種パラメータ情報等を記憶するための二次記憶部１５と、外部装置との間での各種情報の授受を司る送受信部１６と、を備えており、これら各部はシステムバスＳ１を介して電気的に接続されている。すなわち、本実施の形態に係る文書管理サーバ１０は、通常のパーソナル・コンピュータ（以下、「ＰＣ」ともいう。）により構成されている。
【００３０】
また、アノテーション管理サーバ２０も、アノテーション管理サーバ２０全体の動作を司る制御部２１と、各種情報を記憶するための主記憶部２２と、液晶ディスプレイ等のディスプレイを含んで構成された表示部２３と、キーボード及びマウスを含んで構成された操作部２４と、後述する付箋用アノテーションデータベースＤＢ２、ペン入力用アノテーションデータベースＤＢ３や各種プログラム、各種パラメータ情報等を記憶するための二次記憶部２５と、外部装置との間での各種情報の授受を司る送受信部２６と、を備えており、これら各部はシステムバスＳ２を介して電気的に接続されている。すなわち、本実施の形態に係るアノテーション管理サーバ２０もまた、通常のＰＣにより構成されている。
【００３１】
一方、本実施の形態に係るサーバシステム９２は、電子掲示板（Bulletin Board System）として機能するメッセージ共有サーバ３０を有している。メッセージ共有サーバ３０は主として上記電子掲示板上で交わされたメッセージの保存と検索を行うサーバである。
【００３２】
同図に示すように、メッセージ共有サーバ３０も、メッセージ共有サーバ３０全体の動作を司る制御部３１と、各種情報を記憶するための主記憶部３２と、液晶ディスプレイ等のディスプレイを含んで構成された表示部３３と、キーボード及びマウスを含んで構成された操作部３４と、後述するメッセージデータベースＤＢ４や各種プログラム、各種パラメータ情報等を記憶するための二次記憶部３５と、外部装置との間での各種情報の授受を司る送受信部３６と、を備えており、これら各部はシステムバスＳ３を介して電気的に接続されている。すなわち、本実施の形態に係るメッセージ共有サーバ３０もまた、通常のＰＣにより構成されている。
【００３３】
ところで、本実施の形態に係る文書処理システム９０は、電子文書に付与されたアノテーションを起点として、予め定められた複数のレビュア（レビュー者）によりレビューが行われるものとされており、当該レビューはメッセージ共有サーバ３０によって提供される電子掲示板を用いて行われる。なお、ここでいう「レビュー」とは、ある目的をもった作業の成果物として作成された文書に対し、その文書が成果物として妥当なものであるかどうかを評価する作業を意味する。
【００３４】
そして、本実施の形態に係るサーバシステム９２は、上記レビューに基づいて実行される作業の進捗状況の管理を行うと共に、当該作業を実行する作業者（以下、「作業実行者」という。）の管理を行う進捗管理サーバ４０を有している。
【００３５】
同図に示すように、進捗管理サーバ４０も、進捗管理サーバ４０全体の動作を司る制御部４１と、各種情報を記憶するための主記憶部４２と、液晶ディスプレイ等のディスプレイを含んで構成された表示部４３と、キーボード及びマウスを含んで構成された操作部４４と、後述する作業者データベースＤＢ５及び進捗管理データベースＤＢ６や各種プログラム、各種パラメータ情報等を記憶するための二次記憶部４５と、外部装置との間での各種情報の授受を司る送受信部４６と、を備えており、これら各部はシステムバスＳ４を介して電気的に接続されている。すなわち、本実施の形態に係る進捗管理サーバ４０もまた、通常のＰＣにより構成されている。
【００３６】
更に、本実施の形態に係るサーバシステム９２は、文書データベースＤＢ１及び付箋用アノテーションデータベースＤＢ２に登録（記憶）されているデータと、これに関連するメッセージデータベースＤＢ４に登録されているデータを連携させるためのデータ連携サーバ５０を有している。
【００３７】
同図に示すように、データ連携サーバ５０も、データ連携サーバ５０全体の動作を司る制御部５１と、各種情報を記憶するための主記憶部５２と、液晶ディスプレイ等のディスプレイを含んで構成された表示部５３と、キーボード及びマウスを含んで構成された操作部５４と、後述するメッセージ連携情報データベースＤＢ７及び文書連携情報データベースＤＢ８や各種プログラム、各種パラメータ情報等を記憶するための二次記憶部５５と、外部装置との間での各種情報の授受を司る送受信部５６と、を備えており、これら各部はシステムバスＳ５を介して電気的に接続されている。すなわち、本実施の形態に係るデータ連携サーバ５０もまた、通常のＰＣにより構成されている。
【００３８】
そして、クライアントシステム９４は、ペン入力（手書き入力）を行う際に用いられるペン型のアノテーションデバイス６７を各々有する、文書処理システム９０の各利用者毎に設けられた複数のクライアント装置６０を含んで構成されている。
【００３９】
同図に示すように、クライアント装置６０も、クライアント装置６０全体の動作を司る制御部６１と、各種情報を記憶するための主記憶部６２と、ディスプレイを含んで構成された表示部６３と、キーボード及びマウスを含んで構成された操作部６４と、各種情報等を記憶するための二次記憶部６５と、外部装置との間での各種情報の授受を司る送受信部６６と、を備えており、これら各部はシステムバスＳ６を介して電気的に接続されている。
【００４０】
クライアント装置６０は、主記憶部６２や二次記憶部６５から読み出したデータや、送受信部６６を介してサーバシステム９２等から取得したデータに基づいて画像を表示部６３に表示するように構成されている。
【００４１】
なお、本実施の形態に係るクライアント装置６０は、ディスプレイ表面にタッチパネル（図示省略。）が重ねられて構成されたタッチパネル・ディスプレイが設けられた表示部６３を採用した、所謂タブレットＰＣとして構成されており、表示部６３における表示面上をアノテーションデバイス６７によって直接指示（手書き入力）することができる。
【００４２】
このように、クライアント装置６０は、紙の文書を読む際に当該文書に好きな形で下線や丸等のマークを付けたり、コメントを書き込んだりするのと同様に、アノテーションデバイス６７を用いて書き込み入力が可能となっている。
【００４３】
また、クライアント装置６０は、以上のようなアノテーションデバイス６７を用いた手書き入力機能の他、表示部６３により文書を表示させた状態において、当該文書の任意の位置に所定形状（本実施の形態では、矩形状）の付箋を添付した状態とすることのできる付箋添付機能を備えている。ここで、当該付箋には、任意のコメントを直接記述したり、コメントや関連記事等のリンク先を示すリンク情報を関連付けたりすることができる。なお、付箋にリンク情報を関連付けた場合、当該リンク情報により示されるリンク先の情報が付箋に表示される。この場合に本実施の形態に係る文書処理システム９０では、付箋添付機能によって文書に添付された付箋をアノテーションとしている。
【００４４】
このように、クライアント装置６０は、紙の文書を読む際に当該文書に付箋を貼り付けるのと同様に、注目すべき箇所や補足説明を要する箇所等の任意の位置に対して付箋を添付した状態とすることができる。
【００４５】
文書処理システム９０は、以上のような文書管理サーバ１０、アノテーション管理サーバ２０、メッセージ共有サーバ３０、進捗管理サーバ４０、データ連携サーバ５０、及び複数のクライアント装置６０が、各々に備えられた送受信部を介し、ネットワーク９６によって電気的に接続されて構成されている。なお、本実施の形態に係る文書処理システム９０では、ネットワーク９６としてインターネットを適用しているが、これに限らず、イントラネット、ＬＡＮ、ＶＡＮ、電話回線網、エコーネット、ＨｏｍｅＰＮＡ等の各種ネットワークを単独又は組み合わせて適用することもできる。
【００４６】
本実施の形態に係る文書管理サーバ１０、アノテーション管理サーバ２０、メッセージ共有サーバ３０、進捗管理サーバ４０、及びデータ連携サーバ５０はＨＴＴＰ（Hypertext Transfer Protocol）サーバとして機能し、各クライアント装置６０はＨＴＴＰクライアントとして機能するものとされており、文書管理サーバ１０、アノテーション管理サーバ２０、メッセージ共有サーバ３０、進捗管理サーバ４０、データ連携サーバ５０及び各クライアント装置６０はネットワーク９６を介して相互にアクセスすることができる。
【００４７】
そして、クライアント装置６０においてアノテーションデバイス６７を用いて手書き入力されたアノテーション（以下、「手書き入力アノテーション」ともいう。）や、付箋として添付されたアノテーション（以下、「付箋アノテーション」ともいう。）に関する情報は主記憶部６２に一旦保持された後、所定のタイミングでアノテーション管理サーバ２０にネットワーク９６を介して送信され、文書本体と対応付けられて記憶される。そして、後にクライアント装置６０において当該文書を読み出し表示する際には、当該文書に対して過去に付与されたアノテーションに関する情報に基づいて、当該文書と共にアノテーションを表示することができるものとされている。
【００４８】
〔クライアント装置６０の表示画面の構成〕
図２は、本実施の形態に係るクライアント装置６０の表示部６３によるアノテーションの添付に関する表示画面の概略構成を示す図である。
【００４９】
同図に示すように、当該表示画面では、クライアント装置６０の表示部６３における表示エリア６３Ａに対して、各々所定の役割を有する複数のボタンを表示するためのエリアであるボタン表示エリア６３Ｂと、アノテーションの添付対象とする文書８４を表示するためのエリアである文書表示エリア６３Ｃとが設けられている。
【００５０】
本実施の形態に係るクライアント装置６０では、上記複数のボタンとして、文書管理サーバ１０において管理（記憶）されている文書を読み込む際に指定される文書読込みボタン７０と、付箋アノテーションを文書に添付する際に指定される付箋ボタン７２と、文書表示エリア６３Ｃに表示された付箋アノテーション８６や手書き入力アノテーション８８を保存する際に指定される保存ボタン７４と、アノテーション管理サーバ２０において管理（記憶）されているアノテーションを検索して文書表示エリア６３Ｃに表示させる際に指定される検索ボタン７６とが、ボタン表示エリア６３Ｂに表示される。
【００５１】
また、上記複数のボタンとして、更に、後述する連携処理プログラムを実行させる際に指定される連携ボタン７８と、後述するメッセージ再現処理プログラムを実行させる際に指定される再現ボタン８０と、表示されている文書のページを前後に捲るための前ページ送りボタン８２Ａ及び次ページ送りボタン８２Ｂからなるページ捲りボタン８２とが、ボタン表示エリア６３Ｂに表示される。
【００５２】
クライアント装置６０は、本を読むようにページを捲りながらページ単位で表示を切り替えていく機能（ページ捲り表示機能）が搭載されており、このページ捲り表示機能を利用することで、例えば、取り込んだ多数の情報の中から所望の情報を素早く検索できるように構成されている。
【００５３】
すなわち、このクライアント装置６０における情報検索時には、前ページ送りボタン８２Ａ及び次ページ送りボタン８２Ｂの２つのボタンをアノテーションデバイス６７や、操作部６４のキーボード、マウス等によりポインティング指定することによって、ページ捲り操作を行いながら所望のページ情報を表示部６３に表示させることができる。
【００５４】
また、クライアント装置６０は、ページ捲りボタン８２以外のボタンについても、アノテーションデバイス６７や、操作部６４のキーボード、マウス等によりポインティング指定することによって、当該ボタンに割り当てられた機能を実行させることができる。
【００５５】
以上のように、本実施の形態に係るクライアント装置６０では、表示部６３の表示エリア６３Ａに表示させることで各種機能を実行させるためのボタンをソフトウェア的に設けているが、これに代えて、表示部６３や操作部６４等にハードウェアのボタンを設けたり、操作部６４のキーボードにおける所定キーを各ボタンとして利用する形態とすることもできることは言うまでもない。
【００５６】
なお、本実施の形態に係るクライアント装置６０では、前述したように、付箋アノテーションにリンク情報を関連付けた場合には当該リンク情報により示されるリンク先の情報が付箋アノテーションに表示されるが、この場合、当該情報を起点としたレビューが、予め定められた複数のレビュアによりメッセージ共有サーバ３０によって提供される電子掲示板を用いて行われる。
【００５７】
そして、各レビュアにより当該電子掲示板を用いて交わされたメッセージは、対応する付箋アノテーションをアノテーションデバイス６７や操作部６４のキーボード、マウス等によりポインティング指定し、所定の操作を行うことによって、表示部６３の表示エリア６３Ａに表示することができる。
【００５８】
なお、上記レビューは、コメントが直接記述された付箋アノテーションや、手書き入力アノテーションを起点として実施することも可能であるが、錯綜を回避するために、以下では、メッセージ共有サーバ３０により提供される電子掲示板をリンク先としたリンク情報が関連付けられた付箋アノテーションのみを対象としてレビューを行うものとして説明する。
【００５９】
一方、本実施の形態に係るクライアント装置６０には文書編集用の汎用のアプリケーション・プログラム（以下、「文書編集用ＡＰ」という。）がインストールされており、電子文書を編集する際には、当該文書編集用ＡＰを実行させることにより、編集対象とする電子文書が表示された状態の文書編集画面（図示省略。）を表示部６３の表示エリア６３Ａに表示させた状態で編集作業を行うことになる。
【００６０】
そして、本実施の形態に係るクライアント装置６０は、表示エリア６３Ａに複数の画面が表示できるものとして構成されており、電子文書に対する編集作業を当該電子文書に添付されたアノテーションを参照しつつ行う場合には、文書編集用ＡＰによる文書編集画面と、一例として図２に示したアノテーションの添付に関する表示画面とを、双方とも表示エリア６３Ａに表示して行うことになる。
【００６１】
〔文書管理サーバ１０及び文書データベースＤＢ１〕
ところで、本実施の形態に係る文書管理サーバ１０は、電子文書を登録する「登録」と、「文書読込み」を外部からの指示に応じて受け付ける。
【００６２】
上記「登録」は、例えば‘ｈｔｔｐ：／／ｄａｔａｃｅｎｔｅｒ．ｃｏｍｐａｎｙ．ｃｏ．ｊｐ／ａｃｃｅｓｓ．ｃｇｉ？ＤｏｃｕｍｅｎｔＩＤ＝８ｇｊｋ３ｃｌ３’等のように、文書データベースＤＢ１に登録したい文書の格納場所を示すアドレスを示したＵＲＬ（Uniform Resource Locators）等のパスやディレクトリへのパスと共に外部から与えることとする。
【００６３】
文書管理サーバ１０は、与えられたパスが示す文書（群）に対し、順次、文書ＩＤを付与し、各文書ＩＤ毎に、文書名と文書本文を文書データベースＤＢ１に登録する。なお、本実施の形態に係る文書管理サーバ１０では、上記文書ＩＤとして文書データベースＤＢ１に格納する文書毎にユニークなＩＤ番号が割り振られる。また、文書管理サーバ１０は、登録指示された文書の文書ファイル名が同じでも複数回文書データベースＤＢ１に投稿されていれば、異なる文書ＩＤで登録するものとされている。
【００６４】
一方、本実施の形態に係る文書処理システム９０では、当該文書処理システム９０を用いて共通の目的を達成するために複数の利用者が共同で登録文書を用いた作業を行う単位を「タスク」と称し、登録文書が何れのタスクに属するかを示すタスク情報を各文書毎に文書データベースＤＢ１に登録することができる。なお、上記タスク情報は、対応する文書を文書データベースＤＢ１に登録する際や、登録後の任意のタイミングで、クライアント装置６０を介するか、又は文書管理サーバ１０によって直接に登録することができる。
【００６５】
このとき、文書データベースＤＢ１内のデータ構造は、一例として図３に示すようなものとなる。ここで、文書名又は文書本文はＵＲＬ等の文書へのパスであってもよい。
【００６６】
なお、本実施の形態に係る文書処理システム９０では、上記レビュアを、レビューの起点となった付箋アノテーションが添付されている文書が属するタスクに属される利用者であるものとしている。
【００６７】
一方、何れかのクライアント装置６０において文書読込みボタン７０が指定されたことを検知すると、当該クライアント装置６０は、その旨を示す情報を文書管理サーバ１０に通知する。これに応じて文書管理サーバ１０は、文書データベースＤＢ１内の文書名の一覧を作成し、アクセス元のクライアント装置６０に送信する。
【００６８】
これに応じて当該クライアント装置６０は、文書名の一覧をリストボックス等で表示し、利用者に選択を促す。これに応じて利用者により所望の文書名がアノテーションデバイス６７や、操作部６４のキーボード、マウス等によりポインティング指定されると、クライアント装置６０は、指定された文書名を文書管理サーバ１０に送信する。
【００６９】
これに応じて文書管理サーバ１０は、当該クライアント装置６０から受信した文書名に対応する文書本文及び文書ＩＤを文書データベースＤＢ１から読み出してクライアント装置６０に送信する。これによって、クライアント装置６０の表示部６３における文書表示エリア６３Ｃには、指定した文書名に対応する文書の本文が表示されることになる。
【００７０】
〔アノテーション管理サーバ２０、付箋用アノテーションデータベースＤＢ２、ペン入力用アノテーションデータベースＤＢ３〕
一方、本実施の形態に係るアノテーション管理サーバ２０は、「保存」と「検索」を外部からの指示に応じて受け付ける。
【００７１】
すなわち、何れかのクライアント装置６０において表示部６３により文書が表示された状態で当該文書に対してアノテーションが付与され、保存ボタン７４が指定されたことを検知すると、当該クライアント装置６０は、その旨を示す情報をアノテーション管理サーバ２０に通知する。これにより、アノテーション管理サーバ２０は、保存を指示されたアノテーションに関する情報を、当該アノテーションが付与された文書に対応付けて、当該アノテーションが付箋アノテーションである場合は付箋用アノテーションデータベースＤＢ２に、当該アノテーションが手書き入力アノテーションである場合はペン入力用アノテーションデータベースＤＢ３に、各々登録（格納）する。
【００７２】
すなわち、例えば、何れかのクライアント装置６０から「保存」の指示を受け付けたときにアノテーション管理サーバ２０では、保存対象とするアノテーションが付箋アノテーションである場合には、以下に示すようにアノテーションの登録処理が行われる。
【００７３】
まず、アノテーション管理サーバ２０は、保存対象とするアノテーションの付与されている位置を示す位置情報、当該アノテーションにリンクが張られている場合のリンク先、アノテーションが付与された文書の文書ＩＤ、及び当該保存の指示を行ったクライアント装置６０の端末ＩＤがクライアント装置６０から与えられる。また、このとき、保存対象とするアノテーションを付与した利用者のユーザ名（又はユーザＩＤ）及びアノテーションが付与された時刻（生成時刻）もクライアント装置６０から与えられる。
【００７４】
そして、アノテーション管理サーバ２０は、アノテーションＩＤ、端末ＩＤ、ユーザＩＤ（又はユーザ名）、文書ＩＤ、位置情報、リンク先、生成時刻、及び進捗管理ＩＤを、テーブル形式で付箋用アノテーションデータベースＤＢ２に保存する。
【００７５】
このとき、付箋用アノテーションデータベースＤＢ２内のデータ構造は、一例として図４に示すようなものとなる。
【００７６】
同図において、アノテーションＩＤは、個々のアノテーションを管理するものであり、１付箋分のアノテーション毎にユニークなＩＤ番号が割り振られる。ここで、アノテーションＩＤは、クライアントシステム９４側で発行する方式や、アノテーション管理サーバ２０側で発行する方式がある。なお、少なくとも、アノテーションＩＤと文書ＩＤの２つ組みで唯一である必要がある。与えられたアノテーションＩＤ又は上記２つ組みが新規でない場合は、そのアノテーションＩＤ又は上記２つ組みで示される行を上書きするものとする。
【００７７】
また、端末ＩＤは、クライアント装置６０を唯一に識別するＩＤ番号である。ここで、端末ＩＤは、利用者が使用しているクライアント装置６０のハードウェアを直接示す場合もあれば、ＩＰ（Internet Protocol）アドレスやホスト名に対応するものであってもよい。また、ユーザＩＤ（又はユーザ名）は、クライアント装置６０を操作している利用者を一意に識別するための情報であり、例えば、ログインユーザ名等に対応する。更に、文書ＩＤは、対応するアノテーションが付与された文書の文書データベースＤＢ１に登録されている文書ＩＤである。
【００７８】
一方、位置情報は、１付箋分のアノテーションの付与位置（添付位置）を示す情報である。本実施の形態では、対応する文書ＩＤにより示される文書内のページ番号と、当該ページ番号によって示されるページにおける位置座標（ここでは、アノテーションの左上角点及び右下角点の２点の座標）との組み合わせによって示される。なお、本実施の形態では、文書表示エリア６３Ｃを横方向及び縦方向に、文書表示エリア６３Ｃに表示されている文書の横方向サイズ及び縦方向サイズを基準としたサイズ（ここでは、横方向に表示文書の横方向サイズの１／５０（５０分の１）で、縦方向に表示文書の縦方向サイズの１／６０（６０分の１）のサイズ）の矩形領域でマトリクス状に区分し、各区分領域に対して、左上端部の区分領域から横方向に順に連続し、かつ右端部の区分領域が次の行の左端部の区分領域に連続するように番号が予め付与されており、当該番号を上記位置座標として適用している。
【００７９】
また、リンク先は、アノテーションに関連付けられたリンク情報を示す。なお、本実施の形態に係る文書処理システム９０では、上記リンク情報を、一例として同図に示すように‘ｈｔｔｐ：／／ＭｅｓｓａｇｅＳｅｒｖｅｒ／ｔｈｒｅａｄＶｉｅｗｅｒ？ＭｅｓｓａｇｅＩｄ＝１５１７’等のようにＵＲＬ等のパスやディレクトリへのパスで与えることとする。
【００８０】
利用者は、付与するアノテーション毎にリンク先を設定することができる。なお、このリンク先は、アノテーションを付与する度に、或いはアノテーションの保存指示を発する度に設定可能である。
【００８１】
なお、本実施の形態に係る文書処理システム９０では、リンクが張られている付箋アノテーションを、リンク先の情報が内部に表示された状態で表示するようにしていることは前述した通りである。例えば、図２に示す例では、‘他アプリ併用時に触れては？’等がリンク先の情報として付箋アノテーション８６に表示されている。
【００８２】
また、生成時刻は、クライアント装置６０において１付箋分のアノテーションが付与された（表示エリア６３Ａに描画された）時刻であり、日付と時間からなる。これは、１付箋分のアノテーション毎に、クライアント装置６０上で保存ボタン７４を指定して保存した時刻とは別にサーバで一元的に管理されるようになっている。
【００８３】
更に、進捗管理ＩＤは、上記電子掲示板にリンクが張られている付箋アノテーションについて、リンク先の情報を起点として行われるレビューに基づいて実行される作業の進捗状況を管理するためのものであり、メッセージ共有サーバ３０によって提供される電子掲示板上の異なるメッセージにリンクが張られている１付箋分の付箋アノテーション毎にユニークなＩＤが割り振られる。ここで、進捗管理ＩＤは、クライアントシステム９４側で発行する方式や、アノテーション管理サーバ２０側で発行する方式がある。また、本実施の形態に係る文書処理システム９０では、付箋アノテーションに対してメッセージ共有サーバ３０により提供される電子掲示板のメッセージにリンクが張られたタイミングで、当該付箋アノテーションに対する進捗管理ＩＤを付箋用アノテーションデータベースＤＢ２に登録するようにしている。
【００８４】
以上が保存対象とするアノテーションが付箋アノテーションである場合についての説明であるが、これに対し保存対象とするアノテーションが手書き入力アノテーションである場合には、アノテーション管理サーバ２０において以下に示すようにアノテーションの登録処理が行われる。
【００８５】
まず、アノテーション管理サーバ２０は、保存対象とするアノテーションのアノテーション内容と当該アノテーションの位置情報と色や形状、アノテーションが付与された文書の文書ＩＤ及び当該保存の指示を行ったクライアント装置６０の端末ＩＤがクライアント装置６０から与えられる。また、このとき、保存対象とするアノテーションを付与した利用者のユーザ名（又はユーザＩＤ）及びアノテーションが付与された時刻もクライアント装置６０から与えられる。
【００８６】
そして、アノテーション管理サーバ２０は、アノテーションＩＤ、端末ＩＤ、ユーザＩＤ（又はユーザ名）、文書ＩＤ、位置情報、アノテーション内容、色形状、線種、及び生成時刻を、テーブル形式でペン入力用アノテーションデータベースＤＢ３に保存する。このとき、ペン入力用アノテーションデータベースＤＢ３内のデータ構造は、一例として図５に示すようなものとなる。
【００８７】
同図において、アノテーションＩＤ、端末ＩＤ、ユーザＩＤ、文書ＩＤ、位置情報、及び生成時刻は、前述した付箋用アノテーションデータベースＤＢ２と同様のものである。但し、アノテーションＩＤに関しては、付箋用アノテーションデータベースＤＢ２で登録されるものが１付箋毎に割り振られるものであるのに対し、ペン入力用アノテーションデータベースＤＢ３では１ストローク毎に割り振られるものである点のみが異なる。
【００８８】
一方、同図におけるアノテーション内容は、１ストロークのアノテーションの軌跡情報であって、描画されたアノテーションを再現するために利用されるデータであり、例えば、ビットマップやベクトルデータ等のデータとなる。また、色形状は、アノテーションに使用されたインクの色や、円や四角等の形状情報である。更に、線種は、アノテーションの太さや実線或いは点線等といった線種を示す。
【００８９】
一方、クライアント装置６０は、表示部６３の文書表示エリア６３Ｃに文書が表示された状態において検索ボタン７６が指定されたことを検知すると、その旨を示す情報をアノテーション管理サーバ２０に通知する。これに応じてアノテーション管理サーバ２０は、検索を指示されたアノテーションに関する情報を付箋用アノテーションデータベースＤＢ２及びペン入力用アノテーションデータベースＤＢ３から読み出す。
【００９０】
すなわち、アノテーション管理サーバ２０は、クライアント装置６０から「検索」の指示を受け付ける。このとき、アノテーション管理サーバ２０は、文書ＩＤとアノテーション付与範囲に関する情報をクライアント装置６０から受け取る。そして、アノテーション管理サーバ２０は、これらの情報（検索条件）に基づき、付箋用アノテーションデータベースＤＢ２及びペン入力用アノテーションデータベースＤＢ３を検索し、表示対象となり得るアノテーションに関する情報を読み出してアクセス元のクライアント装置６０に送信する。
【００９１】
これに応じて当該クライアント装置６０では、アノテーション管理サーバ２０から受信した情報によって示されるアノテーションを閲覧中の文書に重ねて表示する。なお、図２では、以上の処理によって文書８４に付箋アノテーション８６及び手書き入力アノテーション８８が重ねて表示された状態の一例が示されている。
【００９２】
〔メッセージ共有サーバ３０及びメッセージデータベースＤＢ４〕
一方、本実施の形態に係るメッセージ共有サーバ３０は、文書処理システム９０の利用者による電子掲示板として機能するものである。
【００９３】
すなわち、文書処理システム９０で取扱い対象としている何れかのクライアント装置６０から上記電子掲示板に対してメッセージが書き込まれると、メッセージ共有サーバ３０は、当該メッセージに関する情報をメッセージデータベースＤＢ４に登録する。
【００９４】
電子掲示板では、通常、最初のメッセージが何れかの利用者によってタイトルと共に書き込まれ、それを参照した他の利用者から当該メッセージに関するメッセージが書き込まれ、更に、このメッセージに関するメッセージが他の利用者や最初にメッセージを書き込んだ利用者等によって書き込まれる、といったことが適宜行われる。この際、最初のメッセージ以外のメッセージには、最初のメッセージに設けられたタイトルに応じたタイトルが設けられることにより、タイトルを参照することによって、あるいは返信を作成する際に、返信メッセージに親となったメッセージのＩＤを埋め込むことで各メッセージの親子関係を把握することができる。
【００９５】
メッセージ共有サーバ３０では、このように電子掲示板に対して各利用者から書き込まれたメッセージを当該メッセージに対応するタイトルと共にメッセージデータベースＤＢ４に順次登録する。このとき、メッセージデータベースＤＢ４内のデータ構造は、一例として図６に示すようなものとなる。
【００９６】
同図において、メッセージＩＤは、個々のメッセージを管理するものであり、各メッセージ毎にユニークなＩＤ番号が割り振られる。ここで、メッセージＩＤは、クライアントシステム９４側で発行する方式や、メッセージ共有サーバ３０側で発行する方式がある。
【００９７】
また、更新時刻は、電子掲示板にメッセージが書き込まれた時刻を示す情報であり、日付と時間からなる。なお、本実施の形態では、当該更新時刻を、メッセージ共有サーバ３０の制御部３１に設けられている不図示のタイマによって計時されている日時情報を利用して登録するものとされているが、これに限らず、メッセージの書き込み元であるクライアント装置６０からメッセージの書き込み時刻を示す情報が与えられ、これを登録する形態とすることもできる。
【００９８】
また、直前メッセージＩＤは、対応するメッセージの親に当たるメッセージに割り振られたメッセージＩＤを示す情報であり、直後メッセージＩＤは、対応するメッセージの子に当たるメッセージに割り振られたメッセージＩＤを示す情報である。なお、本実施の形態に係る文書処理システム９０では、対応するメッセージが最初のメッセージであり、親のメッセージを有しない場合の直前メッセージＩＤと、対応するメッセージが共通のタイトルに対する最後のメッセージであり、子のメッセージを有しない場合の直後メッセージＩＤとして、メッセージＩＤとして取り得ない情報（本実施の形態では‘０’）を登録するものとしている。
【００９９】
同図に示す例では、各々メッセージＩＤが‘１５１７’、‘１５１８’、‘１５１９’とされたメッセージは直前メッセージＩＤが‘０’とされているため、最初のメッセージであることが分かる。また、メッセージＩＤが‘１５１９’とされたメッセージは、直前メッセージＩＤ及び直後メッセージＩＤの双方が‘０’とされているため、最初のメッセージであり、かつ子のメッセージを有しない、単一のメッセージであることが分かる。更に、メッセージＩＤが‘１５２０’とされたメッセージは、直前メッセージＩＤが‘１５１７’とされており、かつ直後メッセージＩＤが‘０’とされているため、メッセージＩＤが‘１５１７’とされたメッセージの子にあたるメッセージであり、かつ子のメッセージを有しないメッセージであることが分かる。
【０１００】
一方、タイトルは、対応するメッセージに設けられたタイトルを示す情報であり、メッセージは、メッセージ本文を示す情報である。
【０１０１】
一方、メッセージ共有サーバ３０は、何れかのクライアント装置６０から電子掲示板の表示が指示されると、メッセージデータベースＤＢ４から各メッセージに関する情報を読み出し、親子関係を識別可能に各メッセージのタイトルを一覧表示させることのできる情報を作成してアクセス元のクライアント装置６０に送信する。これに応じて当該クライアント装置６０では、受信した情報を用いて各メッセージのタイトルを一覧表示するので、当該クライアント装置６０の利用者は、所望のタイトルをアノテーションデバイス６７や、操作部６４のキーボード、マウス等によりポインティング指定することによって当該タイトルに対応するメッセージを表示させたり、当該表示されたメッセージに対するメッセージの書き込み等を行うことができる。
【０１０２】
〔進捗管理サーバ４０、作業者データベースＤＢ５、進捗管理データベースＤＢ６〕
一方、本実施の形態に係る進捗管理サーバ４０は、作業実行者の管理を行うと共に、レビュー（ここでは、メッセージ共有サーバ３０により提供される電子掲示板にリンクが張られた付箋アノテーションのリンク先の情報を起点としたレビュー）に基づいて実行される作業の進捗状況の管理を行うものである。
【０１０３】
すなわち、何れかのクライアント装置６０から作業実行者の登録の指示が行われた場合、進捗管理サーバ４０は、当該作業実行者を作業者データベースＤＢ５に登録する。なお、本実施の形態に係る文書処理システム９０では、作業実行者がレビュアと兼任しているが、これに限らず、レビュア以外の文書処理システム９０の利用者を作業実行者とすることもできる。
【０１０４】
図７には、本実施の形態に係る作業者データベースＤＢ５のデータ構造の一例が示されている。
【０１０５】
同図において、タスク情報は、登録対象とする作業実行者を属させるタスクを特定するための情報であり、本実施の形態に係る進捗管理サーバ４０では、前述した文書データベースＤＢ１のタスク情報と同様のものを適用している。また、作業者ＩＤは、個々の作業実行者を管理するものであり、各作業実行者毎にユニークなＩＤが割り振られる。ここで、作業者ＩＤは、クライアントシステム９４側で発行する方式や、進捗管理サーバ４０側で発行する方式がある。すなわち、本実施の形態に係る文書処理システム９０では、作業実行者をタスク単位で管理している。
【０１０６】
また、同図における担当分野は、対応する作業実行者の専門分野を示すものであり、進捗管理サーバ４０で取扱い対象としている専門分野（一例として、「コンピュータ分野」、「自然科学分野」、「政治分野」、「歴史分野」等）毎に予め割り当てられている数値情報が登録される。
【０１０７】
なお、本実施の形態に係る文書処理システム９０では、クライアント装置６０によって作業実行者の登録を行う際に、当該クライアント装置６０の利用者に対して、登録すべき作業実行者、当該作業実行者を属させるタスク及び当該作業実行者の担当分野の各情報を入力させ、これによって入力された情報を進捗管理サーバ４０に送信するようにしており、進捗管理サーバ４０では、クライアント装置６０から受信された情報に基づいて作業者データベースＤＢ５への作業実行者の登録を行うようにしているが、これに限定されず、例えば、当該情報を進捗管理サーバ４０により直接入力して登録する形態とすることもできる。
【０１０８】
一方、本実施の形態に係る進捗管理サーバ４０では、メッセージ共有サーバ３０によって提供される電子掲示板上のメッセージにリンクが張られている付箋アノテーションについて、リンク先の情報を起点としたレビューに基づいて行われる作業の進捗状況を管理するための情報を進捗管理データベースＤＢ６に登録する。
【０１０９】
図８には、本実施の形態に係る進捗管理データベースＤＢ６のデータ構造の一例が示されている。
【０１１０】
同図において、進捗管理ＩＤは、管理対象とする作業を特定するための情報であり、本実施の形態に係る進捗管理サーバ４０では、前述した付箋用アノテーションデータベースＤＢ２の進捗管理ＩＤと同様のものを適用しており、進捗管理ＩＤが付箋用アノテーションデータベースＤＢ２に登録された際に当該進捗管理データベースＤＢ６にも登録されるものとされている。
【０１１１】
また、進捗度は、対応する進捗管理ＩＤによって特定される作業の進捗の度合いを示す情報であり、本実施の形態に係る進捗管理サーバ４０では、デフォルトとして作業の開始前の状態を示す情報（ここでは、‘０’）が登録され、作業が開始された後に作業実行者自身によって作業の進捗の度合いを示す情報（ここでは、作業終了の度合いを１００％としたときのおおよその度合い）を、クライアント装置６０を介して入力することによって更新されるものとしている。なお、当該進捗度の設定は、このような自己申告型に限らず、作業項目が複数存在する場合の全作業項目数に対する終了した作業項目数の割合として算出する形態等の、進捗管理サーバ４０が自動的に算出して適宜更新する形態とすることもできる。
【０１１２】
また、ステータスは、対応する進捗管理ＩＤによって特定される作業の進捗状況を予め定められた複数の段階で示す情報であり、本実施の形態に係る進捗管理サーバ４０では、レビューの受け付け中である段階を示す「受付」、作業内容の検討中である段階を示す「検討」、実行した作業の承認待ちの段階を示す「承認待」、実行した作業の承認が得られて当該作業が完了した段階を示す「完了」の４段階を適用している。なお、実行した作業を承認する権限を有する承認者として、本実施の形態に係る文書処理システム９０では、作業の実行対象とする文書が属するタスクに属される作業実行者のうちの予め定められたリーダとしているが、これに限らず、作業の承認者として予め定められた他の利用者を適用することもできる。
【０１１３】
一方、作業実行者は、対応する進捗管理ＩＤによって特定される作業を実行する作業実行者を特定するための情報であり、納期は、当該作業の完了期限日を示す情報であり、状態変更時刻は、対応するステータスが変更された日時を示す情報であり、更に状態変更者は、上記ステータスの更新者を示す情報である。
【０１１４】
なお、本実施の形態に係る進捗管理サーバ４０では、上記ステータスのデフォルトとして「受付」を示す情報を登録するようにしている。更に、本実施の形態に係る進捗管理サーバ４０では、上記作業実行者として、作業者データベースＤＢ５の作業者ＩＤと同様の情報を適用している。また、本実施の形態に係る文書処理システム９０では、作業実行者自身によってステータスを「検討」や、「承認待」、「完了」に変更するものとしている。また、本実施の形態に係る文書処理システム９０では、予め定められたレビュア（例えば、タスクのリーダ等）によって上記作業実行者を登録するものとしている。
【０１１５】
また、本実施の形態に係る進捗管理サーバ４０では、進捗管理ＩＤが登録された時点から所定期間後（例えば、２週間後）の日を上記納期として自動的に登録しているが、これに限らず、レビュアの何れか（例えば、タスクのリーダ等）によって、この情報を登録する形態とすることもできる。更に、本実施の形態に係る進捗管理サーバ４０では、上記状態変更者として、作業者データベースＤＢ５の作業者ＩＤと同様の情報を適用している。
【０１１６】
〔データ連携サーバ５０、メッセージ連携情報データベースＤＢ７、文書連携情報データベースＤＢ８〕
一方、本実施の形態に係るデータ連携サーバ５０は、文書データベースＤＢ１及び付箋用アノテーションデータベースＤＢ２に登録されているデータとメッセージデータベースＤＢ４に登録されているデータを連携させるものである。
【０１１７】
すなわち、何れかのクライアント装置６０において連携ボタン７８が指定された場合、データ連携サーバ５０は、後述する連携処理プログラムを実行することにより、その時点で当該クライアント装置６０にて表示されている文書８４（以下、「処理対象文書」という。）に関して文書データベースＤＢ１に登録されているデータと、当該処理対象文書に添付されている付箋アノテーション８６（以下、「処理対象アノテーション」という。）からリンクが張られているメッセージ（以下、「処理対象メッセージ」という。）に関してメッセージデータベースＤＢ４に登録されているデータを連携させるための情報をメッセージ連携情報データベースＤＢ７及び文書連携情報データベースＤＢ８に登録する。
【０１１８】
図９には、本実施の形態に係るメッセージ連携情報データベースＤＢ７のデータ構造の一例が示されている。
【０１１９】
同図において、文書ＩＤは、処理対象文書の文書データベースＤＢ１に登録されている文書ＩＤであり、アノテーションＩＤは、処理対象アノテーションの付箋用アノテーションデータベースＤＢ２に登録されているアノテーションＩＤである。
【０１２０】
また、同図におけるメッセージＩＤ、更新時刻、直前メッセージＩＤ、直後メッセージＩＤ、タイトル、及びメッセージは、対応する処理対象アノテーションにリンクが張られている処理対象メッセージ及び当該メッセージを起点とした全ての返信メッセージのメッセージデータベースＤＢ４に登録されている同名のデータである。
【０１２１】
一方、図１０には、本実施の形態に係る文書連携情報データベースＤＢ８のデータ構造の一例が示されている。
【０１２２】
同図において、メッセージＩＤは、処理対象メッセージのメッセージデータベースＤＢ４に登録されているメッセージＩＤであり、アノテーションＩＤは、対応するメッセージがリンク先とされた処理対象アノテーションの付箋用アノテーションデータベースＤＢ２に登録されているアノテーションＩＤであり、文書ＩＤは、処理対象文書の文書データベースＤＢ１に登録されている文書ＩＤであり、位置情報は、対応する処理対象アノテーションの付箋用アノテーションデータベースＤＢ２に登録されている位置情報であり、更に、文書本文は、処理対象文書の文書データベースＤＢ１に登録されている文書本文である。
【０１２３】
〔データ再現機能〕
ところで、前述したように、本実施の形態に係る文書処理システム９０は、一例として図１１に模式的に示すように、電子文書に添付されている付箋アノテーションに対して、メッセージ共有サーバ３０による電子掲示板に書き込まれたメッセージ（コメント）にリンクするためのリンク情報を関連付けすることができる。
【０１２４】
そして、文書処理システム９０は、当該文書処理システム９０によって取扱い対象としている文書及びメッセージを再現して表示することのできるデータ再現機能を有している。
【０１２５】
本実施の形態に係るデータ連携サーバ５０では、データ再現機能を実現するために、一例として図１２に模式的に示すように、処理対象メッセージに関する情報をメッセージデータベースＤＢ４から取得し、これを処理対象文書に対応付けてメッセージ連携情報データベースＤＢ７に文書用仮想データとして記憶する一方、処理対象文書に関する情報を文書データベースＤＢ１及び付箋用アノテーションデータベースＤＢ２から取得し、これを処理対象メッセージに対応付けて文書連携情報データベースＤＢ８にメッセージ用仮想データとして記憶する、連携処理プログラムを実行する。
【０１２６】
次に、図１３を参照して、連携処理プログラムを実行する際のデータ連携サーバ５０の作用を詳細に説明する。なお、図１３は、何れかのクライアント装置６０において連携ボタン７８（図２も参照。）がアノテーションデバイス６７等によりポインティング指定され、その旨を示す指示情報が受信された際に、これに応じてデータ連携サーバ５０の制御部５１により実行される連携処理プログラムの処理の流れを示すフローチャートであり、当該プログラムは二次記憶部５５の所定領域に予め記憶されている。また、クライアント装置６０は、連携ボタン７８がポインティング指定された際に上記指示情報と共に、処理対象文書の文書ＩＤ、処理対象アノテーションのアノテーションＩＤ、及び処理対象メッセージのメッセージＩＤをデータ連携サーバ５０に送信する。
【０１２７】
まず、同図のステップ１００では、処理対象メッセージ及び当該メッセージを起点とした全ての返信メッセージに対応するメッセージＩＤ、更新時刻、直前メッセージＩＤ、直後メッセージＩＤ、タイトル、及びメッセージの各情報をメッセージデータベースＤＢ４から読み出し、次のステップ１０２にて、読み出した情報とアクセス元のクライアント装置６０から上記指示情報と共に受信した文書ＩＤ及びアノテーションＩＤを用いて文書用仮想データを構成し、更に、次のステップ１０４にて、構成した文書用仮想データをメッセージ連携情報データベースＤＢ７に記憶する。
【０１２８】
次のステップ１０６では、処理対象文書に対応する文書本文を文書データベースＤＢ１から読み出すと共に、処理対象アノテーションに対応する位置情報を付箋用アノテーションデータベースＤＢ２から読み出し、次のステップ１０８にて、読み出した情報とアクセス元のクライアント装置６０から上記指示情報と共に受信したメッセージＩＤ、文書ＩＤ及びアノテーションＩＤを用いてメッセージ用仮想データを構成し、更に、次のステップ１１０にて、構成したメッセージ用仮想データを文書連携情報データベースＤＢ８に記憶した後、本連携処理プログラムを終了する。
【０１２９】
以上の連携処理プログラムの実行により、図９に示されるメッセージ連携情報データベースＤＢ７及び図１０に示される文書連携情報データベースＤＢ８が逐次構築される。
【０１３０】
次に、図１４を参照して、データ再現機能を実行する際のデータ連携サーバ５０の作用を詳細に説明する。なお、図１４は、何れかのクライアント装置６０において再現ボタン８０（図２も参照。）がアノテーションデバイス６７等によりポインティング指定され、その旨を示す指示情報が受信された際に、これに応じてデータ連携サーバ５０の制御部５１により実行されるメッセージ再現処理プログラムの処理の流れを示すフローチャートであり、当該プログラムも二次記憶部５５の所定領域に予め記憶されている。また、クライアント装置６０は、再現ボタン８０がポインティング指定された際に上記指示情報と共に、処理対象文書の文書ＩＤをデータ連携サーバ５０に送信する。
【０１３１】
まず、同図のステップ２００では、アクセス元のクライアント装置６０から受信した文書ＩＤに対応する文書用仮想データをメッセージ連携情報データベースＤＢ７から読み出し、次のステップ２０２にて、読み出したデータを用いて、予め定められた構成とされたメッセージ表示用画面を表示することのできる画面情報を作成し、次のステップ２０４にて、作成した画面情報をアクセス元のクライアント装置６０に送信することにより、当該クライアント装置６０に対して上記メッセージ表示用画面を表示させた後、本メッセージ再現処理プログラムを終了する。
【０１３２】
本メッセージ再現処理プログラムの実行により、アクセス元のクライアント装置６０の表示部６３には、一例として図１２に示す電子掲示板と同様の構成とされたメッセージ表示用画面が表示されることになる。
【０１３３】
ところで、本実施の形態に係る文書処理システム９０では、データ再現機能の一部として、クライアント装置６０によりメッセージ共有サーバ３０によって提供される電子掲示板を参照している際に、参照しているメッセージがリンク先とされている付箋アノテーション８６と、これが添付されている文書を再現表示することができる。
【０１３４】
次に、図１５を参照して、この際のデータ連携サーバ５０の作用を詳細に説明する。なお、図１５は、何れかのクライアント装置６０において上記電子掲示板を参照している際に当該クライアント装置６０の表示部６３に表示されている不図示の再現ボタンがアノテーションデバイス６７等によりポインティング指定され、その旨を示す指示情報が受信された際に、これに応じてデータ連携サーバ５０の制御部５１により実行される文書再現処理プログラムの処理の流れを示すフローチャートであり、当該プログラムも二次記憶部５５の所定領域に予め記憶されている。また、クライアント装置６０は、当該再現ボタンがポインティング指定された際に上記指示情報と共に、表示中のメッセージのメッセージＩＤをデータ連携サーバ５０に送信する。
【０１３５】
まず、同図のステップ３００では、アクセス元のクライアント装置６０から受信したメッセージＩＤに対応するメッセージ用仮想データを文書連携情報データベースＤＢ８から読み出し、次のステップ３０２にて、読み出したデータを用いて、予め定められた構成とされた文書表示用画面を表示することのできる画面情報を作成し、次のステップ３０４にて、作成した画面情報をアクセス元のクライアント装置６０に送信することにより、当該クライアント装置６０に対して上記文書表示用画面を表示させた後、本文書再現処理プログラムを終了する。
【０１３６】
本文書再現処理プログラムの実行により、アクセス元のクライアント装置６０の表示部６３には、一例として図１２に示す文書と同様の構成（アノテーションが添付された状態の文書構成）とされた文書表示用画面が表示されることになる。
【０１３７】
以上詳細に説明したように、本実施の形態では、データ構造が異なり、かつ相互に関連する複数種類のデータ（ここでは、付箋アノテーションが添付された文書のデータと、当該付箋アノテーションからリンクが張られたメッセージのデータの２種類のデータ）を対応付けて記憶手段（ここでは、二次記憶部１５、二次記憶部２５、及び二次記憶部３５）に記憶し、前記複数種類のデータの少なくとも１つ（ここでは、全てのデータ）について、対応付けられている前記データを再現することができる再現情報（ここでは、文書用仮想データ及びメッセージ用仮想データ）を作成し、作成した前記再現情報を当該再現情報の作成対象とされた前記複数種類のデータに対して添付（ここでは、ＩＤ情報（文書ＩＤ、メッセージＩＤ）による対応付けによる添付）しているので、異なるデータ構造のデータに対して情報の欠落を招くことなく統一的にアクセスすることを可能とすることができる。
【０１３８】
例えば、一例として図１６に模式的に示されるように、予め用意された汎用の文書閲覧ソフトを用いることにより、アノテーションが添付された状態の文書を支障なく閲覧することができる一方、メッセージ連携情報データベースＤＢ７に登録した文書用仮想データについては、メッセージ共有サーバ３０によって提供される電子掲示板を閲覧できる汎用のメッセージ閲覧ソフトやプラグイン等により支障なく閲覧することができる。従って、一例として図１７に模式的に示されるように、例えば、何らかの理由でクライアント装置６０がメッセージ共有サーバ３０にアクセスすることができなくなった場合であっても、メッセージ共有サーバ３０により保持されているメッセージを上記メッセージ閲覧ソフト等により閲覧することができる。
【０１３９】
また、本実施の形態では、前記再現情報を当該再現情報で再現対象とされている前記データのデータ構造と同様の構造を示すように作成しているので、より再現性を向上させることができる結果、利便性を向上させることができる。
【０１４０】
また、これにより、一例として図１８に示されるように、異なるデータ構造の複数種類のデータ（同図では、フォーマットＡ及びフォーマットＢの２種類の文書データ）に対して、共通のデータ構造とされた仮想データ（同図では、文書用仮想データ）にマッピングすることになり、対応可能なデータ構造の種類数を容易に増加することができる。
【０１４１】
また、本実施の形態では、前記再現情報の作成指示（ここでは、連携ボタン７８が指定された際にクライアント装置６０から送信される指示情報）が入力された場合に前記再現情報を作成しているので、前記再現情報の作成タイミングを指定することができ、利便性を向上させることができる。
【０１４２】
また、本実施の形態では、前記再現情報に基づいて当該再現情報で再現対象とされている前記データを再現しているので、更に利便性を向上させることができる。
【０１４３】
特に、本実施の形態では、前記再現対象とされている前記データを表示手段（ここでは、表示部６３）により表示することによって再現しているので、当該データを容易に把握することができる。
【０１４４】
更に、本実施の形態では、前記複数種類のデータを、アノテーションが添付可能に構成された文書データ、及び電子掲示板によりやりとりされ、かつ返信関係が階層構造で表されるメッセージデータとしているので、これらのデータに対して、情報の欠落を招くことなく統一的にアクセスすることを可能とすることができる。
【０１４５】
以上、本発明を実施形態を用いて説明したが、本発明の技術的範囲は上記実施形態に記載の範囲には限定されない。発明の要旨を逸脱しない範囲で上記実施形態に多様な変更または改良を加えることができ、そのような変更または改良を加えた形態も本発明の技術的範囲に含まれる。
【０１４６】
また、上記の実施形態は、クレーム（請求項）にかかる発明を限定するものではなく、また実施形態の中で説明されている特徴の組合せの全てが発明の解決手段に必須であるとは限らない。前述した実施形態には種々の段階の発明が含まれており、開示される複数の構成要件における適宜の組合せにより種々の発明を抽出できる。実施形態に示される全構成要件から幾つかの構成要件が削除されても、効果が得られる限りにおいて、この幾つかの構成要件が削除された構成が発明として抽出され得る。
【０１４７】
例えば、上記実施の形態では、実行される文書変更作業のステータスを「受付」、「検討」、「承認待」、「完了」の４段階で表す場合について説明したが、本発明はこれに限定されるものではなく、これらの４段階に新たな段階を加えたり、上記４段階のうちの何れかを削除する形態とすることもできる。この場合も、上記実施の形態と同様の効果を奏することができる。
【０１４８】
また、上記実施の形態では、付箋アノテーションに表示されている情報を起点としてレビューを行う場合について説明したが、本発明はこれに限定されるものではなく、例えば、手書き入力アノテーションにより示される情報を起点としてレビューを行う形態とすることもできる。この場合も、上記実施の形態と同様の効果を奏することができる。
【０１４９】
また、上記実施の形態では、付箋アノテーションにリンク先のメッセージ（電子掲示板上の起点メッセージ）を表示する場合について説明したが、本発明はこれに限定されるものではなく、例えば、当該付箋アノテーションに対して、利用者にメッセージを直接入力させ、当該メッセージに関して電子掲示板上で交わされたメッセージの起点メッセージをリンクするリンク情報を関連付ける形態とすることもできる。この場合も、上記実施の形態と同様の効果を奏することができる。
【０１５０】
また、上記実施の形態では、付箋アノテーションに電子掲示板上で交わされた起点メッセージにリンクするリンク情報を関連付けした場合について説明したが、本発明はこれに限定されるものではなく、例えば、当該起点メッセージに代えて、当該起点メッセージを起点として交わされた他のメッセージにリンクするリンク情報を関連付けする形態とすることもできる。この場合も、上記実施の形態と同様の効果を奏することができる。
【０１５１】
また、上記実施の形態では、本発明をクライアント／サーバ・システムに適用した場合について説明したが、本発明はこれに限定されるものではなく、例えば、Ｐ２Ｐ（Peer to Peer）システムに適用する形態や、単体（スタンドアロン）の情報処理装置に適用する形態とすることもできる。ここで、本発明をＰ２Ｐシステムに適用する場合は、上記実施の形態で説明したサーバシステム９２における各サーバの処理を各クライアント装置において実行可能とする。また、本発明を単体の情報処理装置に適用する場合にも、上記実施の形態で説明した各サーバの処理を当該情報処理装置において実行可能とするが、この場合は、各装置間の情報の送受を行うための処理や構成は必要がなくなる。これらの場合にも、上記実施の形態と同様の効果を奏することができる。
【０１５２】
また、上記実施の形態では、文書管理サーバ１０、アノテーション管理サーバ２０、メッセージ共有サーバ３０、進捗管理サーバ４０及びデータ連携サーバ５０の各サーバを別体として構成した場合について説明したが、本発明はこれに限定されるものではなく、例えば、ＰＣ、ワークステーション等の単体（スタンドアロン）の情報処理装置にて各サーバの機能を実現する形態とすることもできる。この場合も、上記実施の形態と同様の効果を奏することができる。
【０１５３】
また、上記実施の形態では、データ再現機能をソフトウェアによって実現した場合について説明したが、本発明はこれに限定されるものではなく、例えば、当該機能をハードウェアにより実現する形態とすることもできる。この場合は、上記実施の形態に比較して、データ再現機能の高速化が期待できる。
【０１５４】
また、上記実施の形態で示した各データベースのデータ構造（図３〜図１０参照。）も一例であり、必要に応じて記憶する項目を追加したり、不要な項目を削除したりすることができることは勿論のこと、各項目の記憶内容も適宜変更可能であることは言うまでもない。
【０１５５】
また、上記実施の形態で示した各種表示画面の構成も一例であり、必要に応じて表示する項目を追加したり、不要な項目を削除したりすることができることは勿論のこと、各項目の表示内容も適宜変更可能であることは言うまでもない。
【０１５６】
また、上記実施の形態で示した各種プログラムの処理の流れ（図１３〜図１５参照。）も一例であり、本発明の主旨を逸脱しない範囲内で適宜変更することができることも言うまでもない。
【０１５７】
更に、システムを構築する上で各機能要素をサーバシステム９２及びクライアントシステム９４にどのように振り分けるかは上記実施の形態で説明したものに限定されず、システムを構築する上で都合のよい振り分けを行えばよいことも言うまでもない。
【図面の簡単な説明】
【０１５８】
【図１】実施の形態に係る文書処理システムの全体構成を示す概略図である。
【図２】実施の形態に係るクライアント装置の表示部によるアノテーションの添付に関する表示画面の構成例を示す概略図である。
【図３】実施の形態に係る文書データベースのデータ構造の一例を示す模式図である。
【図４】実施の形態に係る付箋用アノテーションデータベースのデータ構造の一例を示す模式図である。
【図５】実施の形態に係るペン入力用アノテーションデータベースのデータ構造の一例を示す模式図である。
【図６】実施の形態に係るメッセージデータベースのデータ構造の一例を示す模式図である。
【図７】実施の形態に係る作業者データベースのデータ構造の一例を示す模式図である。
【図８】実施の形態に係る進捗管理データベースのデータ構造の一例を示す模式図である。
【図９】実施の形態に係るメッセージ連携情報データベースのデータ構造の一例を示す模式図である。
【図１０】実施の形態に係る文書連携情報データベースのデータ構造の一例を示す模式図である。
【図１１】実施の形態に係る付箋アノテーションに対してメッセージ共有サーバによる電子掲示板に書き込まれたメッセージ（コメント）にリンクするためのリンク情報を関連付けした状態を示す模式図である。
【図１２】実施の形態に係るデータ再現機能の説明に供する模式図である。
【図１３】実施の形態に係る連携処理プログラムの処理の流れを示すフローチャートである。
【図１４】実施の形態に係るメッセージ再現処理プログラムの処理の流れを示すフローチャートである。
【図１５】実施の形態に係る文書再現処理プログラムの処理の流れを示すフローチャートである。
【図１６】実施の形態に係る文書処理システムの効果の説明に供する模式図である。
【図１７】実施の形態に係る文書処理システムの効果の説明に供する模式図である。
【図１８】実施の形態に係る文書処理システムの効果の説明に供する模式図である。
【符号の説明】
【０１５９】
１０    文書管理サーバ
１５    二次記憶部（記憶手段）
２０    アノテーション管理サーバ
２５    二次記憶部（記憶手段）
３０    メッセージ共有サーバ
３５    二次記憶部（記憶手段）
４０    進捗管理サーバ
４５    二次記憶部
５０    データ連携サーバ
５１    制御部（情報作成手段、情報添付手段、再現手段）
５５    二次記憶部
６０    クライアント装置
６３    表示部（表示手段）
６４    操作部
６７    アノテーションデバイス（入力手段）
９０    文書処理システム
９２    サーバシステム
９４    クライアントシステム
９６    ネットワーク
【図１】
0004793064.tif 000002
【図２】
0004793064.tif 000003
【図３】
0004793064.tif 000004
【図４】
0004793064.tif 000005
【図５】
0004793064.tif 000006
【図６】
0004793064.tif 000007
【図７】
0004793064.tif 000008
【図８】
0004793064.tif 000009
【図９】
0004793064.tif 000010
【図１０】
0004793064.tif 000011
【図１１】
0004793064.tif 000012
【図１２】
0004793064.tif 000013
【図１３】
0004793064.tif 000014
【図１４】
0004793064.tif 000015
【図１５】
0004793064.tif 000016
【図１６】
0004793064.tif 000017
【図１７】
0004793064.tif 000018
【図１８】
0004793064.tif 000019